(57)【要約】【課題】新たに接続された電力機器をスマートメータ等の機能により宅内ネットワークに参加させ、登録操作の簡略化ないしは操作不要化につなげ、登録操作を容易にする。【解決手段】新設された電力機器からネットワークへの接続依頼を受信した場合に、既存の電力機器へ電力使用量を一定に制御する依頼を送信し、電力使用量の一定化を検出した場合に、前記新設された電力機器に電力使用開始の依頼を送信し、電力使用量の変化を検出した場合に、前記新設された電力機器へ前記ネットワークへの接続に用いられる識別情報を送信する、処理をコンピュータに実行させる。【選択図】図６
2018170848.tif 000002
【特許請求の範囲】
【請求項１】
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理をコンピュータに実行させることを特徴とする電力機器ネットワーク構築プログラム。
【請求項２】
前記ネットワークへの接続依頼は、前記識別情報を伴わないブロードキャストにより送信される、
ことを特徴とする請求項１に記載の電力機器ネットワーク構築プログラム。
【請求項３】
前記電力使用量を一定に制御する依頼は、前記識別情報を伴うブロードキャストにより送信され、
前記識別情報を既に通知されている電力機器が応答する、
ことを特徴とする請求項１に記載の電力機器ネットワーク構築プログラム。
【請求項４】
前記電力使用開始の依頼は、前記ネットワークへの接続依頼の送信元を宛先として送信される、
ことを特徴とする請求項１に記載の電力機器ネットワーク構築プログラム。
【請求項５】
前記電力使用量の一定化は、一定時間の休止を挟んで所定回数の一定化が確認された場合に一定化されたものとされる、
ことを特徴とする請求項１に記載の電力機器ネットワーク構築プログラム。
【請求項６】
前記電力使用量の変化は、一定時間の休止を挟んで所定回数の変化が確認された場合に変化があったものとされる、
ことを特徴とする請求項１に記載の電力機器ネットワーク構築プログラム。
【請求項７】
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理をコンピュータが実行することを特徴とする電力機器ネットワーク構築方法。
【請求項８】
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理を実行する機能を備えることを特徴とする宅内装置。
【発明の詳細な説明】
【技術分野】
【０００１】
本発明は、電力機器ネットワーク構築プログラム、電力機器ネットワーク構築方法および宅内装置に関する。
【背景技術】
【０００２】
家庭で使う電力量を節約するため、従来の電力量計に代えてスマートメータが設置され、ＨＥＭＳ（Home Energy Management System）により電力使用量の表示や制御が行われつつある（例えば、特許文献１〜３等を参照）。
【０００３】
一般に、ＨＥＭＳの利用にあたり、需要家は新たに電力機器を導入する際、その電力機器をＨＥＭＳに登録する必要がある。その操作は、特に専門知識を持たない一般の需要家にとって難しく、誤った操作がされたり、操作が面倒で後回しにされたり、操作が忘れられてしまったりする可能性がある。その結果、ＨＥＭＳによる適正な制御は行われなくなる。
【０００４】
登録の操作を簡略化するための技術も提案されているが（例えば、特許文献３）、スマートメータ以外に電力を検出する機能を有した新たな装置の設置が必要となり、導入は容易ではない。
【先行技術文献】
【特許文献】
【０００５】
【特許文献１】ＷＯ２０１２／００８１０４号公報
【特許文献２】特開２０１１−１５０６６３号公報
【特許文献３】特開２０１１−１５０６６４号公報
【発明の概要】
【発明が解決しようとする課題】
【０００６】
上述したように、需要家による登録操作の簡略化さらには操作不要化が求められているが、標準的なスマートメータ等の機能によっては実現されていなかった。
【０００７】
そこで、一側面では、新たに接続された電力機器をスマートメータ等の機能により宅内ネットワークに参加させ、登録操作の簡略化ないしは操作不要化につなげ、登録操作を容易にすることを目的とする。
【課題を解決するための手段】
【０００８】
一つの形態では、新設された電力機器からネットワークへの接続依頼を受信した場合に、既存の電力機器へ電力使用量を一定に制御する依頼を送信し、電力使用量の一定化を検出した場合に、前記新設された電力機器に電力使用開始の依頼を送信し、電力使用量の変化を検出した場合に、前記新設された電力機器へ前記ネットワークへの接続に用いられる識別情報を送信する、処理をコンピュータに実行させる。
【発明の効果】
【０００９】
登録操作を容易にすることができる。
【図面の簡単な説明】
【００１０】
【図１】一実施形態にかかるシステムの構成例を示す図である。
【図２】スマートメータのハードウェア構成例を示す図である。
【図３】スマートメータの機能構成例を示す図である。
【図４】電力機器のハードウェア構成例を示す図である。
【図５】電力機器の機能構成例を示す図である。
【図６】実施形態の処理例を示すシーケンス図である。
【図７】新規に電力機器が接続された状態の例を示す図である。
【図８】ネットワーク接続依頼メッセージが送信された状態の例を示す図である。
【図９】電力使用一定化依頼メッセージが送信された状態の例を示す図である。
【図１０】新規の電力機器に電力使用依頼メッセージが送信された状態の例を示す図である。
【図１１】新規の電力機器が電力の使用を開始した状態の例を示す図である。
【図１２】新規の電力機器にネットワークＩＤが通知された状態の例を示す図である。
【図１３】ネットワークが構成された状態の例を示す図である。
【図１４】スマートメータのネットワーク接続依頼メッセージ受信時の処理例を示すフローチャートである。
【図１５】スマートメータの電力使用量一定化監視の処理例を示すフローチャートである。
【図１６】スマートメータの電力使用量変化監視の処理例を示すフローチャートである。
【発明を実施するための形態】
【００１１】
以下では本発明の好適な実施形態が図面に沿って説明される。
【００１２】
＜構成＞
図１は一実施形態にかかるシステムの構成例を示す図である。図１において、需要家の住宅１には、スマートメータ２と、分電盤３と、複数の電力機器４Ａ、４Ｂ、４Ｃ、・・と、宅内近距離通信網５と、ＨＥＭＳ６とが設けられている。スマートメータ２は、従来のアナログ式誘導型電力量計と異なり、電力をデジタルで計測し、メータ内に通信機能を持たせた次世代電力量計であり、一端が地域インフラの電力線に接続され、他端が分電盤３に接続されている。電力機器４（４Ａ、４Ｂ、４Ｃ、・・）には、エアコン、テレビ、冷蔵庫、洗濯機等の家電機器、ヒートポンプ装置、太陽光発電のＰＣＳ（Power Conditioning System）、蓄電池、ＰＶ（Photovoltaics）等が含まれる。宅内近距離通信網５は、Ｗｉ−ＳＵＮ（Wireless Smart Utility Network）、Bluetooth（登録商標）、ＰＬＣ（Power Line Communication）等による狭範囲のネットワークである。ＨＥＭＳ６は、家庭で使うエネルギーを節約するための管理システムであり、電気の使用量をモニター画面等に表示したり、電力機器４の制御を行う機能を有している。
【００１３】
図２はスマートメータ２のハードウェア構成例を示す図である。図２において、スマートメータ２は、電力量計測装置２１とＣＰＵ（Central Processing Unit）２２とフラッシュメモリ２３と宅内近距離通信ユニット２４とを備えている。電力量計測装置２１は、電力経路を通過する電力量を計測する機能を有している。ＣＰＵ２２は、フラッシュメモリ２３に記憶されたプログラムを実行することで、所定の情報処理を実行する機能を有している。プログラムは、フラッシュメモリ２３に予め組み込まれたものでもよいし、記録媒体を経由して取得されるものでもよいし、ネットワークを経由して取得されるものでもよい。宅内近距離通信ユニット２４は、宅内近距離通信網５を介して電力機器４またはＨＥＭＳ６との間でデータ通信を行う機能を有している。
【００１４】
図３はスマートメータ２の機能構成例を示す図であり、図２に示されたハードウェア構成上で実現されるものである。図３において、スマートメータ２は、スマートメータ機能部としての電力量計測部２０１と電力量カウンタ２０２とを備えるほか、新たに接続された電力機器４にネットワークＩＤを付与して住宅内のネットワークに参加させる処理を行う部分が設けられている。すなわち、スマートメータ２は、時間帯電力量算出部２０３と時間帯電力量記憶部２０４とを備えている。また、スマートメータ２は、宅内近距離通信部２０５とネットワーク接続依頼受信部２０６と測定契機判定部２０７と電力使用一定化依頼送信部２０８と電力量監視部２０９と電力使用依頼送信部２１０とネットワークＩＤ送信部２１１とを備えている。
【００１５】
電力量計測部２０１は、電力引き込み線と分電盤３の間のスマートメータ２を通過する単位時間あたりの電力量を計測する機能を有している。電力量カウンタ２０２は、電力量計測部２０１の計測結果と経過時間とから電力量をカウントする機能を有している。
【００１６】
時間帯電力量算出部２０３は、電力量カウンタ２０２のカウント値から所定時間（例えば、１分間）の時間帯毎に電力量を算出する機能を有している。時間帯電力量記憶部２０４は、時間帯電力量算出部２０３の算出結果を時間帯と対応付けて記憶する機能を有している。現在の電力量は、時間帯電力量記憶部２０４の最後に記憶された直近の時間帯の電力量となる。
【００１７】
宅内近距離通信部２０５は、宅内近距離通信網５を介して電力機器４またはＨＥＭＳ６との間でデータ通信を行う機能を有している。ネットワーク接続依頼受信部２０６は、宅内近距離通信部２０５を介して、新たに接続された電力機器４からネットワーク接続依頼（ネットワーク接続依頼メッセージ）を受信する機能を有している。測定契機判定部２０７は、ネットワーク接続依頼受信部２０６によりネットワーク接続依頼が受信された場合に、所定のタイミングで電力使用一定化依頼送信部２０８、電力量監視部２０９への動作指示を行う機能を有している。
【００１８】
電力使用一定化依頼送信部２０８は、新たに接続された以外の既存の電力機器４に対して電力使用一定化依頼（電力使用一定化依頼メッセージ）を送信する機能を有している。電力量監視部２０９は、電力使用一定化依頼が送信された後に電力使用一定化が成功したか否かを監視し、電力使用一定化が成功した場合に電力使用依頼送信部２１０へ動作指示を行う機能を有している。また、電力量監視部２０９は、電力使用依頼が送信された後に電力使用量変化があったか否かを監視する機能も有している。電力使用依頼送信部２１０は、電力量監視部２０９により電力使用一定化が成功したと判断された場合に、新たに接続された電力機器４に対して電力使用依頼（電力使用依頼メッセージ）を送信する機能を有している。ネットワークＩＤ送信部２１１は、電力量監視部２０９により電力使用量変化があったと判断された場合に、新たに接続された電力機器４に対して、宅内ネットワークへの参加に用いられる識別情報となるネットワークＩＤを送信する機能を有している。
【００１９】
図４は電力機器４（４Ａ、４Ｂ、４Ｃ、・・）のハードウェア構成例を示す図である。図４において、電力機器４は、電力機器固有機能部４１とＣＰＵ４２とフラッシュメモリ４３と宅内近距離通信ユニット４４とを備えている。電力機器固有機能部４１は、電力機器としての固有の機能を実現する部分である。ＣＰＵ４２は、フラッシュメモリ４３に記憶されたプログラムを実行することで、所定の情報処理を実行する機能を有している。プログラムは、フラッシュメモリ４３に予め組み込まれたものでもよいし、記録媒体を経由して取得されるものでもよいし、ネットワークを経由して取得されるものでもよい。宅内近距離通信ユニット４４は、宅内近距離通信網５を介してスマートメータ２、ＨＥＭＳ６または他の電力機器４との間でデータ通信を行う機能を有している。
【００２０】
図５は電力機器４の機能構成例を示す図であり、図４に示されたハードウェア構成上で実現されるものである。図５において、電力機器４は、電力機器固有処理部４０１と宅内近距離通信部４０２とネットワーク接続依頼送信部４０３と電力使用一定化依頼受信部４０４と電力使用依頼受信部４０５とネットワークＩＤ受信部４０６と電力使用制御部４０７とを備えている。
【００２１】
電力機器固有処理部４０１は、電力機器としての固有の処理を実行する部分である。宅内近距離通信部４０２は、宅内近距離通信網５を介してスマートメータ２、ＨＥＭＳ６または他の電力機器４との間でデータ通信を行う機能を有している。ネットワーク接続依頼送信部４０３は、電源プラグのコンセントへの接続等により電力機器固有処理部４０１によって電力線への接続が検出された場合に、スマートメータ２に対してネットワーク接続依頼（ネットワーク接続依頼メッセージ）を送信する機能を有している。電力使用一定化依頼受信部４０４は、スマートメータ２から電力使用一定化依頼（電力使用一定化依頼メッセージ）を受信する機能を有している。電力使用依頼受信部４０５は、スマートメータ２から電力使用依頼（電力使用依頼メッセージ）を受信する機能を有している。ネットワークＩＤ受信部４０６は、スマートメータ２からネットワークＩＤを受信し、内部の記憶領域に保存する機能を有している。ネットワークＩＤが通知された後、宅内近距離通信部４０２は送信時にはネットワークＩＤを伴わせ、受信時には自分と同じネットワークＩＤを伴ったメッセージであることを判断した上で受信することで、同じネットワークに参加することができる。電力使用制御部４０７は、電力使用一定化依頼を受信した場合に一定時間にわたり電力使用量を一定にするように電力機器固有処理部４０１を制御し、電力使用依頼を受信した場合に電力使用を開始するように、電力機器固有処理部４０１を制御する機能を有している。
【００２２】
＜動作＞
図６は上記の実施形態の処理例を示すシーケンス図である。図６において、電力機器４Ａ、４Ｂには既にネットワークＩＤが通知されており、スマートメータ２やＨＥＭＳ６とともに共通のネットワークに参加が行える状態になっているものとする。この状態で新たに電力機器４Ｃが電力線に接続されると、電力機器４Ｃのネットワーク接続依頼送信部４０３は、ネットワーク接続依頼を送信する（ステップＳ１０１）。なお、この時点で電力機器４ＣはネットワークＩＤを有していないため、ネットワークＩＤを伴わず、相手も特定しないブロードキャスト（同報）によってネットワーク接続依頼を送信する。ネットワーク接続依頼には、通信プロトコルに従って送信元である電力機器４Ｃのネットワークアドレスが付加されている。
【００２３】
図７は、住宅１内において、ネットワークに参加していない新たな電力機器４Ｃの電源プラグがコンセントに接続された状態を示している。また、図８は、電力機器４Ｃからのネットワーク接続依頼メッセージが、住宅１内のスマートメータ２で受信されるとともに、近距離通信の到達する隣家のスマートメータでも受信される様子を示している。なお、隣家でもネットワーク接続依頼の受信をトリガとした動作が開始するが、その後の電力使用量一定化等は行われず、処理は途中で終了するため弊害はない。
【００２４】
図６に戻り、スマートメータ２ではネットワーク接続依頼受信部２０６がネットワーク接続依頼を受信すると、測定契機判定部２０７の指示により、電力使用一定化依頼送信部２０８が電力使用一定化依頼を送信する（ステップＳ１０２、Ｓ１０３）。この電力使用一定化依頼は、住宅内で共通のネットワークＩＤを伴ったブロードキャストで送信される。電力機器４Ａ、４Ｂは既に同じネットワークＩＤを有しているため電力使用一定化依頼受信部４０４により電力使用一定化依頼を受信するが、電力機器４ＣはネットワークＩＤを有していないため受信しない。図９は、スマートメータ２からの電力使用一定化依頼メッセージが電力機器４Ａ、４Ｂにより受信される状態を示している。
【００２５】
図６に戻り、電力使用一定化依頼を受信した電力機器４Ａ、４Ｂは、電力使用制御部４０７の制御により、一定時間にわたり電力使用量を変動させない状態に入る（ステップＳ１０４、Ｓ１０５）。
【００２６】
次いで、スマートメータ２では測定契機判定部２０７の指示により、電力量監視部２０９が電力使用量の監視を開始する（ステップＳ１０６）。そして、電力量監視部２０９が電力使用一定化の成功を確認すると（ステップＳ１０７）、電力使用依頼送信部２１０により、ネットワーク接続依頼の送信元アドレスにより電力機器４Ｃに対して電力使用依頼を送信する（ステップＳ１０８）。図１０は、スマートメータ２からの電力使用依頼メッセージが電力機器４Ｃにより受信される状態を示している。
【００２７】
図６に戻り、電力機器４Ｃでは電力使用依頼受信部４０５が電力使用依頼を送信すると、電力使用制御部４０７の制御により、電力を使用する状態（例えば、通常の電源オン）になる（ステップＳ１０９）。図１１は、電力機器４Ｃにおいて電源がオンされた状態を示している。
【００２８】
図６に戻り、スマートメータ２では電力量監視部２０９が電力使用量の監視を開始する（ステップＳ１１０）。そして、電力量監視部２０９が電力使用量の変化（増加）を検出すると（ステップＳ１１１）、ネットワークＩＤ送信部２１１が、ネットワーク接続依頼の送信元アドレスにより電力機器４Ｃに対してネットワークＩＤを送信する（ステップＳ１１２）。すなわち、既存の電力機器４Ａ、４Ｂでは電力使用量一定化により電力量の変動がない状態で、電力機器４Ｃへの電力使用依頼により電力増加があったことで電力機器４Ｃが実際に接続されていることが確認され、ネットワークＩＤが付与される。図１２は、スマートメータ２から電力機器４ＣにネットワークＩＤが送信された状態を示している。図１３は、ネットワークＩＤの付与により、電力機器４Ｃが既存の電力機器４Ａ、４Ｂやスマートメータ２等と同じネットワークを介してデータ通信が可能になった状態を示している。
【００２９】
図６に戻り、電力機器４Ａ、４Ｂでは、電力使用一定化依頼の受信から一定時間の経過の後、通常状態における電力の使用を再開する（ステップＳ１１３、Ｓ１１４）。なお、電力機器４Ａ、４Ｂでは、電力使用一定化依頼を受信してから一定時間にわたり電力使用量を変動させないことに代え、電力使用一定化依頼の受信により電力使用量を変動させないようにし、電力使用量一定化解除依頼を受信した場合に電力の使用を再開するようにしてもよい。
【００３０】
上記の処理により、新たに接続された電力機器４Ｃは住宅内で共通のネットワークＩＤによりＨＥＭＳ６ともデータ通信が可能になるため、ＨＥＭＳ６からの問い合わせにより必要な情報の自動登録が可能となり、ユーザは煩わしい登録操作から解放される。
【００３１】
＜処理の詳細＞
図１４はスマートメータ２のネットワーク接続依頼メッセージ受信時の処理例を示すフローチャートである。図１４において、スマートメータ２は、新たに接続された電力機器４からのネットワーク接続依頼の受信により処理を開始すると、測定契機判定部２０７の指示により、電力使用一定化依頼送信部２０８が電力使用一定化依頼を送信する（ステップＳ２１１）。この電力使用一定化依頼は、住宅内で共通のネットワークＩＤを伴ったブロードキャストで送信される。
【００３２】
次いで、スマートメータ２は、測定契機判定部２０７の指示により、電力量監視部２０９が電力使用量の一定化の監視を開始し（ステップＳ２１２）、一定化が成功しなかった場合（ステップＳ２１３のＮＯ）は、処理を終了する。
【００３３】
需要家内に宅内無線ネットワークに参加していない電力機器が存在した場合、電力使用一定化依頼の送信後も電力使用量が一定化されない可能性がある。そのような場合の回避策として、以下が考えられる。
（１）電力使用依頼を送信せず、しばらくたってから再度、電力使用一定化依頼メッセージの送信からやり直す。
（２）スマートメータ２が１日の内で電力使用が一定化されている時間帯を監視し、その時間帯で電力使用一定化依頼の送信からやり直す。
（３）一定化が成功しなくても処理を継続し、電力使用依頼にリトライ間隔およびリトライ回数を伴わせ、それに基づいて電力機器に電力を使用させることで、複数回の確認を行う。
【００３４】
図１４において、一定化が成功した場合（ステップＳ２１３のＹＥＳ）、電力使用依頼送信部２１０により、ネットワーク接続依頼の送信元アドレスにより、新たに接続された電力機器４に対して電力使用依頼を送信する（ステップＳ２１４）。
【００３５】
次いで、スマートメータ２では電力量監視部２０９が電力使用量の監視を開始し（ステップＳ２１５）、電力量の変化（増加）がない場合（ステップＳ２１６のＮＯ）は、処理を終了する。
【００３６】
電力量の変化（増加）があった場合（ステップＳ２１６のＹＥＳ）、ネットワークＩＤ送信部２１１が、ネットワーク接続依頼の送信元アドレスにより電力機器４Ｃに対してネットワークＩＤを送信する（ステップＳ２１７）。そして、処理を終了する。
【００３７】
図１５はスマートメータ２の電力使用量一定化監視の処理例を示すフローチャートである。図１５において、電力使用量一定化監視の処理を開始すると、電力量監視部２０９は、第１・第２カウンタを０クリアする（ステップＳ２２１）。
【００３８】
次いで、電力量監視部２０９は、現在の電力量値Ｐ１を時間帯電力量記憶部２０４の最新の記録から取得し、メモリ上に保存する（ステップＳ２２２）。
【００３９】
次いで、電力量監視部２０９は、一定時間（例えば１秒）休止し（ステップＳ２２３）、現在の電力量値を時間帯電力量記憶部２０４の最新の記録から取得し、先に保存してある電力量値Ｐ１と比較する（ステップＳ２２４）。
【００４０】
そして、電力量監視部２０９は、電力量値の差が規定の閾値以下であるか否か判断し（ステップＳ２２５）、閾値以下である場合（ステップＳ２２５のＹＥＳ）は第１カウンタを加算（インクリメント）する（ステップＳ２２６）。
【００４１】
次いで、電力量監視部２０９は、第１カウンタが規定値以上であるか否か判断し（ステップＳ２２７）、規定値以上でないと判断した場合（ステップＳ２２７のＮＯ）は一定時間の休止（ステップＳ２２３）から処理を繰り返す。電力量監視部２０９は、規定値以上であると判断した場合（ステップＳ２２７のＹＥＳ）、一定化成功として処理を終了する。
【００４２】
一方、電力量監視部２０９は、電力量値の差が規定の閾値以下でない場合（ステップＳ２２５のＮＯ）、第２カウンタを加算（インクリメント）する（ステップＳ２２８）。
【００４３】
次いで、電力量監視部２０９は、第２カウンタが規定値以上であるか否か判断し（ステップＳ２２９）、規定値以上でないと判断した場合（ステップＳ２２９のＮＯ）は一定時間の休止（ステップＳ２２３）から処理を繰り返す。電力量監視部２０９は、規定値以上であると判断した場合（ステップＳ２２９のＹＥＳ）、一定化失敗として処理を終了する。
【００４４】
図１６はスマートメータ２の電力使用量変化監視の処理例を示すフローチャートである。図１６において、電力使用量一定化監視の処理を開始すると、電力量監視部２０９は、第１・第２カウンタを０クリアする（ステップＳ２３１）。
【００４５】
次いで、電力量監視部２０９は、現在の電力量値Ｐ１を時間帯電力量記憶部２０４の最新の記録から取得し、メモリ上に保存する（ステップＳ２３２）。
【００４６】
次いで、電力量監視部２０９は、一定時間（例えば１秒）休止し（ステップＳ２３３）、現在の電力量値を時間帯電力量記憶部２０４の最新の記録から取得し、先に保存してある電力量値Ｐ１と比較する（ステップＳ２３４）。
【００４７】
そして、電力量監視部２０９は、電力量値の差が規定の閾値以下であるか否か判断し（ステップＳ２３５）、閾値以下である場合（ステップＳ２３５のＹＥＳ）は第１カウンタを加算（インクリメント）する（ステップＳ２３６）。
【００４８】
次いで、電力量監視部２０９は、第１カウンタが規定値以上であるか否か判断し（ステップＳ２３７）、規定値以上でないと判断した場合（ステップＳ２３７のＮＯ）は一定時間の休止（ステップＳ２３３）から処理を繰り返す。電力量監視部２０９は、規定値以上であると判断した場合（ステップＳ２３７のＹＥＳ）、変化未検出として処理を終了する。
【００４９】
一方、電力量監視部２０９は、電力量値の差が規定の閾値以下でない場合（ステップＳ２３５のＮＯ）、第２カウンタを加算（インクリメント）する（ステップＳ２３８）。
【００５０】
次いで、電力量監視部２０９は、第２カウンタが規定値以上であるか否か判断し（ステップＳ２３９）、規定値以上でないと判断した場合（ステップＳ２３９のＮＯ）は一定時間の休止（ステップＳ２３３）から処理を繰り返す。電力量監視部２０９は、規定値以上であると判断した場合（ステップＳ２３９のＹＥＳ）、変化検出として処理を終了する。
【００５１】
＜変形例＞
上述の実施形態では、新たに接続された電力機器４からスマートメータ２がネットワーク接続依頼を受信し、スマートメータ２から電力使用一定化依頼、電力使用依頼およびネットワークＩＤの送信を行う場合について説明した。しかし、その構成に限らず、例えば、スマートメータ２に代えてスマートフォン等の情報端末がネットワーク接続依頼を受信し、電力使用一定化依頼、電力使用依頼およびネットワークＩＤの送信を行うようにしてもよい。この場合、スマートフォン等の情報端末は、スマートメータ２から電力量の情報を取得し、電力使用一定化および電力使用量変化を監視することとなる。
【００５２】
＜総括＞
以上の説明のように、本実施形態によれば、新たに接続された電力機器をスマートメータ等の機能により宅内ネットワークに参加させ、登録操作の簡略化ないしは操作不要化につなげ、登録操作を容易にすることができる。
【００５３】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００５４】
以上の説明に関し、更に以下の項を開示する。
（付記１）
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理をコンピュータに実行させることを特徴とする電力機器ネットワーク構築プログラム。
（付記２）
前記ネットワークへの接続依頼は、前記識別情報を伴わないブロードキャストにより送信される、
ことを特徴とする付記１に記載の電力機器ネットワーク構築プログラム。
（付記３）
前記電力使用量を一定に制御する依頼は、前記識別情報を伴うブロードキャストにより送信され、
前記識別情報を既に通知されている電力機器が応答する、
ことを特徴とする付記１に記載の電力機器ネットワーク構築プログラム。
（付記４）
前記電力使用開始の依頼は、前記ネットワークへの接続依頼の送信元を宛先として送信される、
ことを特徴とする付記１に記載の電力機器ネットワーク構築プログラム。
（付記５）
前記電力使用量の一定化は、一定時間の休止を挟んで所定回数の一定化が確認された場合に一定化されたものとされる、
ことを特徴とする付記１に記載の電力機器ネットワーク構築プログラム。
（付記６）
前記電力使用量の変化は、一定時間の休止を挟んで所定回数の変化が確認された場合に変化があったものとされる、
ことを特徴とする付記１に記載の電力機器ネットワーク構築プログラム。
（付記７）
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理をコンピュータが実行することを特徴とする電力機器ネットワーク構築方法。
（付記８）
前記ネットワークへの接続依頼は、前記識別情報を伴わないブロードキャストにより送信される、
ことを特徴とする付記７に記載の電力機器ネットワーク構築方法。
（付記９）
前記電力使用量を一定に制御する依頼は、前記識別情報を伴うブロードキャストにより送信され、
前記識別情報を既に通知されている電力機器が応答する、
ことを特徴とする付記７に記載の電力機器ネットワーク構築方法。
（付記１０）
前記電力使用開始の依頼は、前記ネットワークへの接続依頼の送信元を宛先として送信される、
ことを特徴とする付記７に記載の電力機器ネットワーク構築方法。
（付記１１）
前記電力使用量の一定化は、一定時間の休止を挟んで所定回数の一定化が確認された場合に一定化されたものとされる、
ことを特徴とする付記７に記載の電力機器ネットワーク構築方法。
（付記１２）
前記電力使用量の変化は、一定時間の休止を挟んで所定回数の変化が確認された場合に変化があったものとされる、
ことを特徴とする付記７に記載の電力機器ネットワーク構築方法。
（付記１３）
新設された電力機器からネットワークへの接続依頼を受信した場合に、既存の電力機器へ電力使用量を一定に制御する依頼を送信し、
電力使用量の一定化を検出した場合に、前記新設された電力機器に電力使用開始の依頼を送信し、
電力使用量の変化を検出した場合に、前記新設された電力機器へ前記ネットワークへの接続に用いられる識別情報を送信する、
処理を実行する機能を備えることを特徴とする宅内装置。
（付記１４）
前記ネットワークへの接続依頼は、前記識別情報を伴わないブロードキャストにより送信される、
ことを特徴とする付記１３に記載の宅内装置。
（付記１５）
前記電力使用量を一定に制御する依頼は、前記識別情報を伴うブロードキャストにより送信され、
前記識別情報を既に通知されている電力機器が応答する、
ことを特徴とする付記１３に記載の宅内装置。
（付記１６）
前記電力使用開始の依頼は、前記ネットワークへの接続依頼の送信元を宛先として送信される、
ことを特徴とする付記１３に記載の宅内装置。
（付記１７）
前記電力使用量の一定化は、一定時間の休止を挟んで所定回数の一定化が確認された場合に一定化されたものとされる、
ことを特徴とする付記１３に記載の宅内装置。
（付記１８）
前記電力使用量の変化は、一定時間の休止を挟んで所定回数の変化が確認された場合に変化があったものとされる、
ことを特徴とする付記１３に記載の宅内装置。
【符号の説明】
【００５５】
１                  住宅
２                  スマートメータ
２１                電力量計測装置
２２                ＣＰＵ
２３                フラッシュメモリ
２４                宅内近距離通信ユニット
２０１              電力量計測部
２０２              電力量カウンタ
２０３              時間帯電力量算出部
２０４              時間帯電力量記憶部
２０５              宅内近距離通信部
２０６              ネットワーク接続依頼受信部
２０７              測定契機判定部
２０８              電力使用一定化依頼送信部
２０９              電力量監視部
２１０              電力使用依頼送信部
２１１              ネットワークＩＤ送信部
３                  分電盤
４、４Ａ〜４Ｃ      電力機器
４１                電力機器固有機能部
４２                ＣＰＵ
４３                フラッシュメモリ
４４                宅内近距離通信ユニット
４０１              電力機器固有処理部
４０２              宅内近距離通信部
４０３              ネットワーク接続依頼送信部
４０４              電力使用一定化依頼受信部
４０５              電力使用依頼受信部
４０６              ネットワークＩＤ受信部
４０７              電力使用制御部
５                  宅内近距離通信網
６                  ＨＥＭＳ
【図１】
2018170848.tif 000003
【図２】
2018170848.tif 000004
【図３】
2018170848.tif 000005
【図４】
2018170848.tif 000006
【図５】
2018170848.tif 000007
【図６】
2018170848.tif 000008
【図７】
2018170848.tif 000009
【図８】
2018170848.tif 000010
【図９】
2018170848.tif 000011
【図１０】
2018170848.tif 000012
【図１１】
2018170848.tif 000013
【図１２】
2018170848.tif 000014
【図１３】
2018170848.tif 000015
【図１４】
2018170848.tif 000016
【図１５】
2018170848.tif 000017
【図１６】
2018170848.tif 000018